(57)【要約】【課題】  構造が簡易で、施工時に適不適の判断が明確にでき、シール機能にも優れ、かつ、目地幅の拡大縮小があっても当該目地部分の水密性が損なわれることのないシール部材およびパネル間シール構造を提供すること。【解決手段】  隣接するパネルＰ，Ｐ間に挿入され前記パネル間において対向して前記パネルに形成された係合部２０（３０）に係合する平板部材からなるシール部材１であって、前記パネル間の前記係合部よりも幅広に形成されると共に、前記パネル間に平板形状から湾曲形状に変形してその復元力により前記係合部に圧接して係合するシール部材とした。【選択図】図１
2005226318.tif 000002
【特許請求の範囲】
【請求項１】
隣接するパネル間に挿入され前記パネル間において対向して前記パネルに形成された係合部に係合する平板部材からなる止水部材であって、
前記パネル間の前記係合部よりも幅広に形成されると共に、前記パネル間に平板形状から湾曲形状に変形してその復元力により前記係合部に圧接して係合することを特徴とする止水部材。
【請求項２】
前記平板部材は、ポリエステル樹脂であることを特徴とする請求項１に記載の止水部材。
【請求項３】
隣接するパネル間に挿入され前記パネル間において対向して前記パネルに形成された係合部に係合する平板部材からなる止水部材と、この止水部材の上方で前記パネル間に設けられる表面シール部材とを有するパネル間止水構造であって、
前記止水部材は、前記パネル間の前記係合部よりも幅広に形成されると共に、前記パネルの厚み内において前記パネル間に平板形状から湾曲形状に変形してその復元力により前記係合部に圧接して係合することを特徴とするパネル間止水構造。
【請求項４】
左右にパネルが隣接する第２パネル間において対向して前記パネルに形成された第２係合部に係合する平板部材からなる第２止水部材と、前後に前記パネルが隣接する第１パネル間において対向して前記第２止水部材の上方となる位置で、かつ、前記第２係合部より幅が小さく前記パネルに形成された第１係合部に係合する平板部材からなる第１止水部材と、この第１止水部材の上方で、前記両パネル間に挿入され、前記両パネル間に設けられた表面シール部材とを有するパネル間止水構造であって、
前記第２止水部材は、前記第２係合部よりも幅広に形成され、かつ、前記第１止水部材は、前記第１係合部よりも幅広に形成され、前記パネルの厚み内において前記パネル間に平板形状から湾曲形状に変形してその復元力により前記係合部のそれぞれに圧接して係合することを特徴とするパネル間止水構造。
【発明の詳細な説明】
【技術分野】
【０００１】
本発明は、隣接するパネル間にシール構造を形成するための止水部材およびパネル間止水構造に関する。
【背景技術】
【０００２】
従来、複数枚のパネル材を結合して設置される庇、キャノピー、屋根あるいは壁を構築する場合には、雨水等の浸入を防止すべく隣接するパネル間（以下、適宜「目地」という）にシール構造を形成するのが一般的である。
【０００３】
例えば、特許文献１には、図１０に示すように、パネル１００，１００間に配設されるバックアップ材１１０と、このバックアップ材１１０とパネル１００，１００とにより形成された凹部に充填されるコーキング材（シーリング材）１２０と、バックアップ材１１０を挟んでコーキング材１２０と反対側に配設される樋部材１３０とを備えるシール構造が記載されている。
なお、樋部材１３０は、あらかじめＵ字形状に形成された状態において、その両端部分をパネル１００、１００の係合部１４０，１４０に係合して保持されるように構成されている。
【０００４】
また、非特許文献１には、図１１に示すように、パネル２００，２００間に配設されるシール兼バックアップ材２１０と、このシール兼バックアップ材２１０とパネル２００，２００とにより形成された凹部に充填されるコーキング材（シーリング材）２２０とを備えるシール構造が記載されている。そして、シール兼バックアップ材２１０は、両側に形成された当接片２１１，２１１がパネル２００，２００の壁面に当接すると共に、突条係合部２０１，２０１に当接することで、雨水を排出する樋としての機能を有するものである。このシール兼バックアップ材２１０は、シリコンゴムなどのゴム材により形成されている。
【０００５】
【特許文献１】特開平７−１１９２５２号公報（段落００３０〜００３６、図２および図３）
【非特許文献１】神鋼ノース株式会社発行  頒布用技術資料ＣＤ  ２００３年４月発行
【発明の開示】
【発明が解決しようとする課題】
【０００６】
しかしながら、従来の止水部材あるいはパネル間止水構造では、以下に示すような問題点が存在した。
従来のシール構造を備えるパネルでは、樋部材１３０がパネル１００の下方に突出する構成であるため、所定以上の大きさを備えるパネル１００間では、そのパネル１００間を接続するための接続構造が必要となり、パネル１００間の接合部分から突出している樋部材１３０の構成では対応することができなかった。
【０００７】
また、バックアップ材１１０は、シール材としての役割を担うこともあるが、ゴムあるいはシリコンゴムなどで形成されることが多く、複雑な形状をしていることから、設置した後でその両端部分１０１ａ，１０１ａが係合部１４１，１４１の側壁面に当接した状態で係合されているかについて、係合部１４１，１４１の内側対して確認を行なうことが困難であった。
【０００８】
なお、同様に、シール兼バックアップ材２１０は、バックアップ材の役割を兼用していることから、形状が複雑となり、また、突条係合部２０１，２０１から当接片２１１，２１１が外れている部分が存在しても、その前後の位置で当接片２１１，２１１が突条係合部２０１，２０１に係合することで収まってしまうため、不適切な施工箇所を見つけることが困難であった。
【０００９】
そこで、本発明は前記問題点に鑑み創案されたものであり、構造が簡易で、施工時に適不適の判断が明確にでき、シール機能にも優れ、かつ、目地幅の拡大縮小があっても当該目地部分の水密性が損なわれることのない止水部材およびパネル間止水構造を提供することを課題とする。
【課題を解決するための手段】
【００１０】
このような課題を解決すべく創案された請求項１の発明は、隣接するパネル間に挿入され前記パネル間において対向して前記パネルに形成された係合部に係合する平板部材からなる止水部材であって、前記パネル間の前記係合部よりも幅広に形成されると共に、前記パネル間に平板形状から湾曲形状に変形してその復元力により前記係合部に圧接して係合する止水部材とした。
【００１１】
このように構成されることにより、止水部材は、設置現場および工場など施工場所にかかわらず、隣接して配置されたパネル間において、平板状態から強制的に湾曲状態に変形させ、当該止水部材をパネル間に押し込み、パネルの係合部の位置において、湾曲状態からもとの平板状態に復元しようとする復元力により、その係合部に圧接して湾曲状態の姿勢を係合して維持する。なお、パネルの設置後に、目地幅が広がった場合には、止水部材が復元しようとする復元力により当該止水部材が目地幅の変化に追従して変形する。また、止水部材は、湾曲状態となる姿勢が樋として機能することになるので、何らかの原因によって浸入した雨水等を所定の排水地点まで導くことができる。
【００１２】
請求項２の発明は、請求項１に記載の止水部材を構成する平板部材がポリエステル樹脂であるものとした。
このように、止水部材をポリエステル樹脂で形成すると、安価で、かつ、目地部分をシールするときに必要な適度な復元力（弾性力）を備え、耐久性にも優れるものとなる。
【００１３】
請求項３の発明は、隣接するパネル間に挿入され前記パネル間において対向して前記パネルに形成された係合部に係合する平板部材からなる止水部材と、この止水部材の上方で前記パネル間に設けられる表面シール部材とを有するパネル間止水構造であって、前記止水部材は、前記パネル間の前記係合部よりも幅広に形成されると共に、前記パネルの厚み内において前記パネル間に平板形状から湾曲形状に変形してその復元力により前記係合部に圧接して係合するパネル間止水構造とした。
【００１４】
このように構成されることにより、パネル間止水構造では、はじめに、パネルを隣接して配置し、止水部材をパネル間において、平板状態から湾曲状態となるように変形ささせて挿入し、パネル間の係合部に当該止水部材の湾曲状態から平板状態に復元しようとする復元力によりその係合部に圧接して止水部材が係合する。そして、止水部材が係合されると、つぎに、表面シール部材をすでに係合させた止水部材にスペーサなどを介して設けることにより、パネル目地部分を塞いでいる。なお、止水部材をパネル間に挿入するときには、そのパネル間の上方から湾曲状態として押し込むことや、あるいは、パネル間の横方向、つまり、係合部に湾曲状態としてスライドさせる方向から押し込んでも構わない。
【００１５】
請求項４の発明は、左右にパネルが隣接する第２パネル間において対向して前記パネルに形成された第２係合部に係合する平板部材からなる第２止水部材と、前後に前記パネルが隣接する第１パネル間において対向して前記第２止水部材の上方となる位置で、かつ、前記第２係合部より幅が小さく前記パネルに形成された第１係合部に係合する平板部材からなる第１止水部材と、この第１止水部材の上方で、前記両パネル間に挿入され、前記両パネル間に設けられた表面シール部材とを有するパネル間止水構造であって、
前記第２止水部材は、前記第２係合部よりも幅広に形成され、かつ、前記第１止水部材は、前記第１係合部よりも幅広に形成され、前記パネルの厚み内において前記パネル間に平板形状から湾曲形状に変形してその復元力により前記係合部のそれぞれに圧接して係合するパネル間止水構造とした。
【００１６】
このように構成されることにより、パネル間止水構造では、第２止水部材を平板状態から湾曲状態としてパネル間に挿入して、第２係合部において当該第２止水部材の復元する方向にかかる付勢力により、その第２係合部に第２止水部材が圧接した状態で係合する。このときのパネルは、左右に隣接しており、そのパネル間の目地部分を例えばＸ方向すると、つぎに、そのＸ方向とは直交する方向に形成される目地部分（例えばＹ方向）に対して、第１止水部材が設けられる。すなわち、パネル間止水構造では、第１止水部材を、平板状態から湾曲状態としてパネル間に挿入し、第１係合部において当該第１止水部材の復元する方向にかかる復元力により、その第１係合部に第１止水部材が圧接した状態で係合している。
【００１７】
なお、第１止水部材は、第２止水部材の係合位置より上方に係合しており、両止水部材が交差する部分での水密性を維持して構成が簡素化することができる。なお、両シールが交差する部分では、その第２止水部材に沿ってその上方に第１止水部材が配置されても構わない。つまり、第１止水部材は、Ｘ方向およびＹ方向に配置されてもよい。そして、パネル間止水構造では、第１止水部材にスペーサなどを介して表面シール部材が設けられる。第１止水部材をＸ方向およびＹ方向に配置させる場合には、重複部分において一方を他方の第１止水部材に近接させた状態とし、第１止水部材より幅が広い第２止水部材を排水のための主となる樋として用いている。
【発明の効果】
【００１８】
本発明に係る止水部材によると、施工場所に関わらず容易にシール構造を構築することができ、且つ、設置後に目地幅が変化した場合であっても、当該目地部分の水密性を保つことができる。また、パネル間の係合部に止水部材を係合する際に、例えば、止水部材が係合部に対して適切に係合されていなければ、止水部材の復元する方向の復元力により目地分部から明らかに突出して係合部から離脱するため、作業者に不適切な施工箇所を分かり易く示すことが可能となる。
そして、止水部材は、ポリエステル樹脂により構成されることにより、構造が簡単な上に安価に形成でき、かつ、目地部分において係合部に圧接して湾曲状態の姿勢を維持して係合することができる。
【００１９】
さらに、パネル間止水構造は、平板部材からなる止水部材を、平板状態から湾曲状態としてパネル間に挿入して係合部において圧接させ、さらに、その止水部材の上方に表面シール部材を設けている。そのため、パネル間止水構造は、表面シール部材が地震、季節による温度差、経年変化などにより隙間が生じる場合、あるいは、設置後に目地幅が拡大縮小した場合であっても、止水部材が平板状態に復元しようとする方向にかかる復元力（弾性力）によりパネルの端面との圧接状態を保ちつつ、当該目地部分の水密性が保たれることになる。
【００２０】
また、パネル間止水構造は、隣接する一方向のみのパネルの配列、例えば、左右方向のみにパネルを配置するものだけでなく、左右および前後（上下）に配列される場合であっても、構造が簡単な上に係合部に圧接して湾曲状態を維持して第１止水部材および第２止水部材を係合することができる。また、パネル間止水構造は、施工時の止水部材の不適箇所の発見を容易とし、さらに、目地幅の変化に追随した水密性を可能とする。
【発明を実施するための最良の形態】
【００２１】
以下、本発明を実施するための最良の形態を、添付した図面を参照して詳細に説明する。なお、以下の説明においては、図示の状態を「上」「下」の基準とし、パネルの上方から止水部材を挿入する場合を例示する。
【００２２】
第２止水部材１，第１止水部材１０は、図１に示すように、隣接するパネルＰ，Ｐ間（以下、適宜「目地」という）に平板状態から湾曲状態に変形させて挿入することができる平板部材から構成されており、一定厚みで両パネルＰ，Ｐの第２係合部２０、第１係合部３０にそれぞれ係合できる幅寸法に形成されている。
【００２３】
この止水部材１，１０は、例えば、ポリエステル樹脂であるポリエチレンテレフタレート、または、ポリスチレン、ポリアミド、あるいは、ステンレスバネ板材など、湾曲状態に弾性変形して目地に挿入でき平板状態に復元しようとする復元力（弾性力）により各係合部２０，３０に圧接して係合することができる弾性変形板材であれば、特に限定されるものではないが、ここでは、生産コスト、環境保護の観点からポリエチレンテレフタレートを採用している。
【００２４】
図２および図３に示すように、第２止水部材１は、目地幅Ｌ１に対して幅寸法Ｗ１が大きく形成されると共に、第２係合部２０の横幅Ｌ３に対しても幅寸法Ｗ１が大きくなるように形成され、凹部Ｐ２５，Ｐ２５内に圧接して係合できる幅寸法Ｗ１に構成されている。そして、この第２止水部材１は、第２係合部２０に係合したときに、その形状が樋としての役割を担うことができる湾曲形状になる幅寸法Ｗ１に構成されている。
【００２５】
第１止水部材１０は、図４ないし図６に示すように、目地幅Ｌ１に対して幅寸法Ｗ２が大きく形成されていると共に、第１係合部３０の横幅Ｌ２に対しても幅寸法Ｗ２が大きくなるように形成され、第１係合部３０の面Ｐ２４に圧接して係合する幅寸法Ｗ２になるように構成されている。そして、この第１止水部材１０は、第１係合部３０に係合したときに、樋としての役割を担うことができる湾曲状態になる幅寸法Ｗ２に構成されている。
【００２６】
したがって、図３に示すように、第２止水部材１は、平板状態から湾曲状態になるように内側に変形させつつパネルＰ，Ｐ間に挿入されることになり、外側に広がろうとする復元力、つまり平板状態に復元しようとする復元力によりパネルＰの端面Ｐ２３（本実施形態では、枠材Ｐ２に取り付けられたパッキンＳ）に圧接しながら下方に押し込められ、第１係合部３０を通過して第２係合部２０に係合する。また、図５に示すように、第１止水部材１０は、平板状態から湾曲状態になるように内側に変形させつつパネルＰ，Ｐ間に挿入されることになり、外側に広がろうとする復元力によりパネルＰの端面Ｐ２３（本実施形態では、枠材Ｐ２に取り付けられたパッキンＳ）に圧接しながら下方に押し込められ、端面Ｐ２４に圧接して第１係合部３０に係合するものである。
【００２７】
図１に示すように、パネルＰは、アルミニウム合金製のハニカムコアＰ１と、ハニカムコアＰ１の周囲に配置される枠材Ｐ２と、ハニカムコアＰ１および枠材Ｐ２の上下面に接着されて設けられた表面板Ｐ３，Ｐ３とを備えて構成されている。枠材Ｐ２は、アルミニウム合金製の押出形材からなり、他方のパネルＰの枠材Ｐ２と対向する面Ｐ２１には、その上部に一対の突条Ｐ２２，Ｐ２２が押出方向（長手方向）に沿って形成されている。また、表面板Ｐ３と上側の突条Ｐ２２との間には、パッキンＳが取り付けられている。さらに、面Ｐ２１において高さ方向の中央には、凹部Ｐ２５が形成されている。この凹部Ｐ２５は、開口部分においてその開口部分を狭くする上下方向に突出する突出部Ｐ２６，Ｐ２７が形成されている。
【００２８】
また、パネルＰ，Ｐが面Ｐ２１，Ｐ２１を対面して配置されることにより、突条Ｐ２２，Ｐ２２が対面して第１係合部３０が形成され、かつ、凹部Ｐ２５、Ｐ２５が対面して第２係合部２０が形成される。
【００２９】
そして、図９に示すように、連続して配置したパネルＰの一端側と他端側には、設置される施工現場により様々な取付部材が取り付けられ、ここでは、一端側には、固定部材Ｐ６が取り付けられ、他端側には介在部材Ｐ４を有する雨樋Ｐ５が取り付けられている。
【００３０】
図９に示すように、パネルＰ，Ｐは、ここでは、目地部分に対して下面側では、接合板Ｔ１を介してボルトなどの留付手段により留め付けられている。
【００３１】
以上のように構成された止水部材１、１０を使用して隣接するパネルＰ，Ｐ間にパネル間止水構造を構築するには、はじめに、図２および図３に示すように、パネルＰ，Ｐを所定の位置に設置し、第２止水部材１を平板状態から湾曲状態に変形させて、パネルＰ，Ｐ間（第１パネル間）に押し込み、第２係合部２０の突出部Ｐ２７を第２止水部材１の両端が通過するまでパネルＰの厚さ方向に押し込む。そうすると、第２止水部材１は、平板状態に復元しようとする復元力（弾性力）により、突出部Ｐ２７を通過した当該第１止水部材の両端部分が外側に広がり、第２係合部２０において係合する。
【００３２】
第２止水部材１が第２係合部２０に係合するときの姿勢は、図３に示すように、その両端部分が凹部Ｐ２５，Ｐ２５の上方の角部分に圧接すると共に、幅方向の両端から中央に向かうほぼ半分の位置において、突出部Ｐ２６，Ｐ２６に当接した状態で、湾曲状態を維持したものとなる。そして、第２止水部材１は、第２係合部２０に対して圧接して係合しているため、例えば、自重以外の雨水による負荷がかかっても、この止水部材１が樋としての役割を十分担うことのできるものとなる。
【００３３】
この第２止水部材１は、図９に示すように、固定部材Ｐ６から雨樋Ｐ５に対する方向に連続して配置され、第２止水部材１内を流れる雨水を介在部材Ｐ４に形成された補助樋部Ｈｔを介して排出している（この記載はこれでいいように思いますが、いかがでしょうか）。なお、補助樋部Ｈｔと第２止水部材１との間には、雨水の受け渡しが確実に行なえるように、ここでは導水ロープＲが配置されている。この導水ロープＲは、第２止水部材１を流れる雨水が少なくて、その第１止水部材の勾配では補助樋部Ｈｔに送ることができない状態であっても、第２止水部材１から補助樋部Ｈｔ側に雨水を毛細管現象を利用して送ることができ、第２止水部材１に雨水が溜まることを最小限とするものである。
【００３４】
第２止水部材１が設置されると、次に、第１止水部材１０が設置される。図７および図８に示すように、第１止水部材１０は、前後左右（上下左右）に配置されたパネルＰ，Ｐ間（第１パネル間および第２パネル間）の第１係合部３０に係合される。すなわち、第１止水部材１０は、パネルＰ，Ｐ間において、交差する部分までの長さに設定され、図４および図５に示すように、平面状態から湾曲状態に変形させてパネルＰ，Ｐ間に押し込み、第２位係合部３０の上方に配置される突条Ｐ２２，Ｐ２２を、その第１止水部材１０の両端が通過するまでパネルＰの厚さ方向に押し込む。そうすると、第１止水部材１０は、第１係合部３０の空間において、湾曲状態から平板状態に復元しようとする復元力により、第１係合部３０で平板状態になる方向に広がり、その第１止水部材１０の両端が、図５に示すように、第２係合部１０の角部分（突端が下向きである突条Ｐ２２，Ｐ２２の立上基端部分で端面Ｐ２４，Ｐ２４）に圧接して、かつ、突端が上向きである突条Ｐ２２、Ｐ２２に当接することで、第１係合部３０に係合する。
【００３５】
そのため、湾曲形状を維持した状態で第１止水部材１０は、第１係合部３０に係合した姿勢において、雨水を排水するための樋の役割を担うことができる状態となる。なお、第１止水部材１０は、第２止水部材１が係合する方向に対して、直交する方向にのみ設ける構成であっても、また、第２止水部材１と直交する方向および第２止水部材１に沿う方向の両方に設ける構成であっても良く、ここでは、第２止水部材１と直交する方向および沿う方向の両方に設ける構成としている（図７、図８参照）。
【００３６】
なお、第１止水部材１０が交差する部分では、図８に示すように、対面する位置の第１止水部材１０が所定の隙間を開けた状態で配置されるように構成され、第１止水部材１０で受け止めた雨水を、第２止水部材１に受け渡し、第２止水部材１が排出するように構成されている。
【００３７】
第１止水部材１０が全て設けられると、つぎに、図６に示すように、スペーサＳｐを介して表面シール部材（コーキングシール）Ｓａが施され、パネルＰ，Ｐ間の目地は塞がれてパネルＰ，Ｐ間のパネル間止水構造を施す作業が終了する。なお、表面シール部材Ｓａは、その堅さ調整によりスペーサＳｐが必要ない状態で施すことができるものである。また、第２止水部材１および第１止水部材１０は、環境における熱の影響あるいは振動などの機械的な影響により、目地間がある程度広がったり、縮まったりしても、本来両止水部材１，１０が備えている復元力により常に湾曲状態から平板状態に復元しようとして、パネルＰ，Ｐの端面Ｐ２４、凹部Ｐ２５の端面に圧接している。
【００３８】
そのため、第２止水部材１および第１止水部材１０は、パネルＰ，Ｐ間の拡縮に追随して水漏れを起こすことを防止することができる。すなわち、設置後に目地幅が広がった場合であっても、第２止水部材１および第１止水部材１０がパネルＰの端面Ｐ２４、凹部Ｐ２５の端面との圧接状態を保ちつつ外側に変形するので、目地部分の水密性が保たれることになる。
【００３９】
一例として、第２止水部材１および第１止水部材１０は、２５０μｍのポリエチレンテレフタレートを使用して一定幅のシート状（帯状）に形成したとき、目地間が２０ｍｍである場合に、その目地間が±６ｍｍ拡大縮小しても対応することが可能である。
【００４０】
以上のように、止水部材１および止水部材１０によりパネル間止水構造を構成すると、パネルＰ，Ｐ間に挿入するだけで、湾曲状態の姿勢でパネルＰの端面に圧接し、パネルＰ，Ｐ間が水密になる。すなわち、止水部材１および止水部材１０を目地に挿入するだけで、当該目地部分にシール構造を構築することができる。さらに、止水部材１および止水部材１０は、それぞれの係合部２０，３０に係合していない部分が仮にあったとしたら、施工時に作業者が分かるように、その第２係合部２０あるいは第１係合部３０から離脱して不適切な係合箇所を目視することができる。
【００４１】
なお、第２止水部材１および第１止水部材１０は、パネルＰ，Ｐ間において上方から押し込むことで係合する例を示したが、第２係合部２０あるいは第１係合部３０の断面方向からスライドさせて係合する構成としても構わない。また、両止水部材１，１０をパネルＰ，Ｐ間に上方から押し込む場合には、施工される長さにあらかじめ切断して、その一端側から順次パネルＰ，Ｐ間に押し込むことや、パネルＰ，Ｐ間上に、治具などを介して全体を湾曲状態として平行に押し込むようにしても構わない。さらに、第２止水部材１および第１止水部材１０は、所定幅寸法に形成して巻きつけた状態で搬送して使用することや、あらかじめ設定した一定の長さの長尺材として搬送して使用するどちらの構成であっても構わない。
【図面の簡単な説明】
【００４２】
【図１】本発明に係る第１止水部材および第２止水部材を示す斜視図である。
【図２】本発明に係る第２止水部材をパネル間に挿入される前の状態を示す断面図である。
【図３】本発明に係る第２止水部材を隣接するパネル間に挿入された状態を示す断面図である。
【図４】本発明に係る第１止水部材をパネル間に挿入される前の状態を示す断面図である。
【図５】本発明に係る第１止水部材を隣接するパネル間に挿入された状態を示す断面図である。
【図６】本発明に係る第１止水部材を隣接するパネル間に挿入し、コーキングシールを施した状態を示す断面図である。
【図７】本発明に係る第１止水部材および第２止水部材をパネル間に挿入した状態を一部破断して示す斜視図である。
【図８】本発明に係る第１止水部材および第２止水部材を設けたパネル間を模式的に示す断面図である。
【図９】本発明に係る第１止水部材および第２止水部材を施したパネル間止水構造を示すパネルの断面図である。
【図１０】従来のシール構造を示す断面図である。
【図１１】従来のシール構造を示す断面図である。
【符号の説明】
【００４３】
１      第２止水部材
１０    第１止水部材
２０    第２係合部
３０    第１係合部
Ｐ      パネル
Ｐ１    ハニカムコア
Ｐ２    枠材
Ｐ３    表面板
Ｐ４    介在部材
Ｐ５    雨樋
Ｐ６    固定部材
Ｓａ    表面シール部材
【図１】
2005226318.tif 000003
【図２】
2005226318.tif 000004
【図３】
2005226318.tif 000005
【図４】
2005226318.tif 000006
【図５】
2005226318.tif 000007
【図６】
2005226318.tif 000008
【図７】
2005226318.tif 000009
【図８】
2005226318.tif 000010
【図９】
2005226318.tif 000011
【図１０】
2005226318.tif 000012
【図１１】
2005226318.tif 000013